(57)【要約】  包装食品（２０）は、トレー（１２）と、複数の積重ね可能なチップスナック（１４）と、管状容器（１６）とを備える。トレーはトレー本体（１８）を備え、トレー本体（１８）は、トレー基端部（２２）及びトレー末端部（２３）と、トレー末端部にある緩衝空間（２５）とを有する。スナックはトレー本体上に整列される。管状容器は、壁本体（３６）と、壁本体に隣接する閉鎖した容器端部（３２）と、壁本体に隣接し、閉鎖した容器端部の反対側にある開放可能な容器端部（３４）とを備える。管状容器は、スナックとトレーを中に収容する。トレーは壁本体に沿ってスライド可能であり、また、緩衝空間が閉鎖した容器端部に隣接した向きとなるように整列される。
2013512156.tif 000002
【特許請求の範囲】
【請求項１】
包装食品であって、
（１）トレーであって、
（ｉ）トレー基端部及びトレー末端部を備えるトレー本体、並びに
（ｉｉ）前記トレー末端部にある緩衝空間、を備えるトレーと、
（２）前記トレー本体内に配列された複数の積重ね可能な成形チップスナックと、
（３）壁本体、該壁本体に隣接する閉鎖した容器端部、及び該壁本体に隣接して該閉鎖した容器端部の反対側にある開放可能な容器端部を備える管状容器であって、前記複数の積重ね可能な成形チップスナック及び前記トレーを中に備える管状容器と、を備え、
前記トレーは前記壁本体に沿ってスライド可能であり、前記トレーは、前記緩衝空間が前記閉鎖した容器端部に隣接した向きとなるように整列されている包装食品。
【請求項２】
前記トレーがプラスチック、生分解性の材料、金属、ゴム、及びそれらの組合わせからなる群から選択された材料から形成されている、請求項１に記載の包装品。
【請求項３】
前記積重ね可能な成形チップスナックが凹形状を有する、請求項１に記載の包装品。
【請求項４】
前記トレー本体が緩衝空間を前記トレー基端部に更に備える、請求項１に記載の包装品。
【請求項５】
前記複数の積重ね可能な成形チップスナックが成形ポテトチップス、米スナック、及びそれらの組合わせからなる群から選択される、請求項１に記載の包装品。
【請求項６】
前記変形距離が約２ｍｍ〜約１５ｍｍである、請求項１に記載の包装品。
【請求項７】
前記トレーが縁部棚を備える、請求項１に記載の包装品。
【請求項８】
前記基端部に引出しタブを更に備える、請求項１に記載の包装品。
【請求項９】
前記トレーが実質的に丸形である底部を備える、請求項１に記載の包装品。
【請求項１０】
前記トレーが少なくとも１対の支持部材を前記底部に備える、請求項８に記載の包装品。
【請求項１１】
前記つまみ部材が約５ｍｍ〜約４０ｍｍの幅Ｗを有する、請求項７に記載の包装品。
【請求項１２】
前記生分解性の材料がコーンスターチ、米スターチ、小麦スターチ、ポテトスターチ、セルロース、ポリラクチド、ポリカプロラクトン、ポリビニルアルコール、カゼイン、及びそれらの混合物からなる群から選択される、請求項２に記載の包装品。
【請求項１３】
前記積重ね可能な成形フードスナックがスナック高さを有し、前記トレーがトレー高さを有し、前記トレー高さが前記スナック高さの約５０％超である、請求項１に記載の包装品。
【請求項１４】
前記トレー高さが前記スナック高さの約６０％〜約１００％である、請求項１３に記載の包装品。
【請求項１５】
前記トレーが縁部棚を更に備え、前記縁部棚が前記積重ね可能な成形チップスナックの中点よりも高い、請求項１３に記載の包装品。
【発明の詳細な説明】
【技術分野】
【０００１】
本発明は包装食品に関する。より具体的には、本発明は、成形チップスナックなどの積重ね可能なチップスナックを収容する包装食品に関する。
【背景技術】
【０００２】
ポテトチップスなどのチップスナックは通常、柔軟な袋にあるいは管状容器に充填される。柔軟な袋は、自然に切断されたポテトチップスに対して使用され得る。柔軟な袋は、袋にガスを充填することによって、そのような自然に切断されたポテトチップスを外部の衝撃から保護することができる。そのような柔軟な袋は、ガスが余分な空間を占めるために、輸送及び展示に空間を必要とする。管状容器は、成形ポテトチップスに使用され得る。管状容器は、実質的に同じ形状を有する成形ポテトチップスを積み重ねることによって詰め込むのに有用となり得る。
【０００３】
しかし、管状容器に入れられたチップスナックは、出荷、積重ね、保管などの間に、割れたり破砕したりすることがある。チップスナックは時には脆いものであり、消費者は、容器を開封したときに、割れたり破砕したりしたチップスを見出すことになる。したがって、外部の衝撃が原因で割れることからチップスナックを保護する必要がある。
【０００４】
更に、そのようなチップスナックが直接、管状容器に充填されている場合、消費者は、管状容器の中に自身の手を入れてスナックを取り出すことが必要となり得る。これは時には不快となるものであり、そのような行為は、油、割れたチップ、及び／又は調味料で消費者の指及び／又は手を汚すことになり得る。したがって、割れと不快感をより少なくしてチップスナックを収容する包装が必要とされている。
【発明の概要】
【発明が解決しようとする課題】
【０００５】
上記の問題を考慮して、本発明は、店舗の棚、輸送中などで強い衝撃を受けた場合にも破砕の少ないチップスナックの包装製品を提供しようとするものである。本発明はまた、消費者がそのようなチップスナックを食するときの不快感を著しく軽減し得る。
【課題を解決するための手段】
【０００６】
本発明は、（ｉ）トレーと、（ｉｉ）トレー本体上に配列された複数の積重ね可能な成形チップスナックと、（ｉｉｉ）管状容器と、を有する包装食品に関する。トレーは、（１）トレー基端部とトレー末端部とを備えるトレー本体と、（２）トレー末端部にある緩衝空間とを含む。管状容器は、壁本体と、壁本体に隣接する閉鎖した容器端部と、壁本体に隣接し、閉鎖した容器端部の反対側にある開放可能な容器端部と備え、複数の積重ね可能な成形チップスナックとトレーを中に備える。トレーは、緩衝空間が閉鎖した容器端部に隣接した向きとなるように整列される。
【０００７】
本発明の利点の１つは、保管、輸送などで生じる落下、衝突、及び他の衝撃などの外部の衝撃から、積重ね可能な成形チップスナックが更に保護されることであり、これは、緩衝空間によってスナックへの力の伝達が低減され、それによって破砕が低減されるからである。理論に束縛されることを望むものではないが、このトレーは、外部の衝撃がスナックに伝達される結果として生じる破砕から積重ね可能な成形チップスナックを保護するのに役立つと考えられる。本発明のトレーを用いるとスナックに伝達される力がより小さくなるので、出荷、保管などの間に破砕するスナックがより少なくなる。
【図面の簡単な説明】
【０００８】
本発明は、添付の非限定的な図面によって、より容易に理解される。
【図１】中にあるトレーと、トレー上にある複数のチップスナックとを有する包装食品の斜視図であり、トレーは管状容器から手動でスライドされている。
【図２】図１に示したトレーの頂面図を示している。
【図３】従来のトレーの部分頂面図を示している。
【図４】第２の側部から見た図２のトレーの側面図を示している。
【図５】スライドタブから見た図２のトレーの側面図を示している。
【図６】本発明の包装品を収容した段ボール箱を示している。
【図７】落下試験における接触位置を示す箱の面の図を示している。
【０００９】
本明細書の図面は必ずしも一定の縮尺で描写されていない。
【発明を実施するための形態】
【００１０】
本明細書で引用するすべての文書は、すべての内容が参照によって本明細書に組み込まれる。いかなる文書の引用も、それが本発明に対する先行技術であることを認めるものとして解釈されるべきではない。
【００１１】
本明細書で用いるとき、「成形チップスナック」とは、チップ形状を与えるような方式で、付形、押出し、又はロール練りされた食料スナック製品を含み得る。
【００１２】
本明細書で用いるとき、「積重ね可能な」とは、ある物体が実質的に、平面的な形状を有し、複数のそのような物体が、水平、垂直などに、一列に互いに積み上げられ得る状態を含み得る。成形チップスナックは、寸法及び形状において実質的に一様である。それらは、硬質な管状容器内に積み重ねられ、包装され得る。
【００１３】
本明細書で用いるとき、「トレー」とは、積重ね可能なチップスナックが載置及び格納される物体を含み得る。
【００１４】
本明細書で用いるとき、「スライド」とは、ある物体が特定の向きに直線的に移動可能である状態を含み得る。
【００１５】
本発明は、（ｉ）トレーと、（ｉｉ）複数の積重ね可能な成形チップスナックと、（ｉｉｉ）管状容器とを収容した包装食品に関する。
【００１６】
図１は、本発明による包装品の斜視図を示している。この包装食品２０は、（１）トレー１２と、（２）複数の積重ね可能な成形チップスナック１４と、（３）管状容器１６とを収容している。積重ね可能な成形チップスナック１４は、トレー１２上に配列されている。積重ね可能な成形チップスナック１４を収容したトレー１２は、初期には、管状容器１６に挿入されている。トレー１２は、積重ね可能な成形チップスナック１４の消費のために管状容器１６から手動でスライドされる。
【００１７】
トレー１２は、トレー本体１８と、トレー基端部２２と、トレー基端部２２の反対側のトレー末端部２３（図２を参照）とを有する。トレー１２は、第１の側壁２４と第２の側壁２６とを更に有し、第１の側壁２４及び第２の側壁２６はそれぞれ、トレー基端部２２及びトレー末端部２３に連結している。
【００１８】
図１において、トレー本体１８は、トレー基端部２２にある一体型引出しタブ２８を備えている。引出しタブ２８は、つまみ部材３１を備え、つまみ部材３１は凹凸表面を有する。この実施形態において、つまみ部材３１は、トレー基端部２２から上向きに突出しており、そのため、親指と他の指１本でつまみ部材３１を容易につまむことができる。別の実施形態において、つまみ部材は、トレー基端部から下向きに突出していてもよい。この実施形態において、トレー１２は、開放した頂部３０を有しており、そのため、ユーザーは積重ね可能なチップスナック１４を容易に取り出すことができる。
【００１９】
トレー本体１８上に、複数の積重ね可能な成形チップスナック１４が配列される。積重ね可能な成形チップスナック１４は、ポテト、米、小麦、トウモロコシなどに基づくものであっても、ポテト又は米に基づくものであってもよい。積重ね可能な成形チップスナック１４は、波形の形状、凹面形の形状、又は平面的な形状を、特に凹面形の形状を有してもよい。
【００２０】
管状容器１６は、閉鎖した端部３２と、その閉鎖した端部３２の反対側にある開放可能な端部３４とを有する。開放可能な端部３４を容易に開放及び再閉鎖できるように、蓋３５が通常は存在する。包装食品２０が販売されているとき、開放可能な端部３４は、蓋３５で封止されていてもよい。管状容器１６は、閉鎖した端部３２と開放可能な端部３４とを連結する側壁３６を更に有する。トレー１２は、引出しタブ２８が管状容器１６の開放可能な端部３４に向けられるように、管状容器１６に挿入される。これにより、トレー１２の取出しがより容易で不快感の少ないものとなる。
【００２１】
使用の際、管状容器１６は、蓋３５を取り外すことによって開放される。引出しタブ２８を引くことによって引き寄せられた後、複数の積重ね可能な成形チップスナック１４が管状容器１６の内部から出現する。次いで、積重ね可能な成形チップスナック１４は、管状容器１６の内部の奥深くに手を入れることなく、容易に取り出される。
【００２２】
理論に束縛されることを意図するものではないが、複数の積重ね可能な成形チップスナックがトレーを用いずに管状容器の内部に配列されている場合、管状容器の内部表面が、積重ね可能な成形チップスナック、すなわち、油、割れたチップ及び／又はそれらに付着した調味料によって汚され得ると考えられる。積重ね可能な成形チップスナックを管状容器から取り出すために、消費者は、自身の手を管状容器の中に入れることが必要となるか、あるいは、管状容器を傾け、積重ね可能な成形チップスナックを手、皿、又は他の表面の上に落とすことが必要となり得る。そのような行為は、指及び手が汚れ得るので時には不快となり得るものであり、あるいは、チップスナックを受け取るために皿などの別の器が必要となり得る。本発明の包装食品では、消費者は、手を汚さなくてもよいため、あまり不快感を伴わずにチップスナックを取り出すことができ、また別の器が必ずしも必要とならない。
【００２３】
図２は、図１に示したトレーの頂面図である。つまみ部材３１は、幅Ｗと長さＬを有し得る。幅Ｗ及び長さＬは通常、約５ｍｍ〜約４０ｍｍ、約８ｍｍ〜約３５ｍｍ、又は約１０ｍｍ〜約３０ｍｍである。つまみ部材３１の形状は特に限定されない。いくつかの実施形態において、つまみ部材３１は、円形、卵形、四角形、多角形などの形状を有してよい。一実施形態において、つまみ部材３１は、ミスター・プリングルズ（Mr. Pringles）として広く知られている高齢男性の顔のロゴを有する。一実施形態において、つまみ部材３１は、製品名のロゴ（例えばプリングルズのロゴ）を有する。
【００２４】
引出しタブ２８は、固定された構造であっても屈曲可能な構造であってもよい。この実施形態において、引出しタブ２８は固定された構造である。別の実施形態において、引出しタブは、使用中に種々様々な角度から更なる柔軟性が得られるように屈曲可能であってもよい。
【００２５】
通常の包装において、トレー端部に配置された積重ね可能な成形チップスナックは、中央に配置されるよりも、大きな衝撃を受ける傾向があり、したがって、容易に割れることになる。成形ポテトチップスなど、積重ね可能な成形チップスナックには、波形又は凹面形に形成されるものもある。本発明において、トレー１２は、トレー末端部２３と積重ね可能な成形チップスナック１４との間に緩衝空間２５を設けられている。緩衝空間２５は、積重ね可能な成形チップスナックの縁部がトレー１４と直接接触することがないように、曲線性を有している。トレー１４は、緩衝空間２５の外側にショルダー部２７を有している。ショルダー部２７は、積重ね可能な成形チップスナック１４と接触するが、トレー末端部２３が積重ね可能な成形チップスナック１４と直接触れないことに留意することが重要である。したがって、この緩衝空間２５は、直接、衝撃力を積重ね可能な成形チップスナック１４に伝達することなく、衝撃によってトレー末端部２３を変形させる。それに代わって、トレー末端部２３は、その衝撃力を吸収及び低減するように変形する。次いで、低減された衝撃は、単一の点ではなく複数のショルダー部２７で伝達され得る。理論に束縛されることを望むものではないが、トレー１２の内部の積重ね可能な成形チップスナック１４は、トレー１４の変形性と緩衝空間２５の存在により、外部の衝撃によって割れたり破砕したりする可能性が低くなると考えられる。
【００２６】
緩衝空間２５は、トレー末端部２３におけるトレー１２と、それに最も近い積重ね可能な成形チップスナック１４との間の距離を占める。したがって、トレーがそれに最も近い積重ね可能な成形チップスナック１４に触れるまでの、変形のための十分な空間が得られるように、トレー末端部２３と、それに最も近い積重ね可能な成形チップスナック１４との間の変形距離Ｄは、約２ｍｍ〜約１５ｍｍ、又は約３ｍｍ〜約１２ｍｍ、又は約５ｍｍ〜約１０ｍｍであるべきである。
【００２７】
本明細書のある実施形態において、トレーはまた、トレー末端部２３にだけでなくトレー基端部２２にも緩衝空間を有する。そのような構成は、輸送、保管などの間に複数の方向から受ける衝撃力から保護するために特に有用である。
【００２８】
本明細書での実施形態において、トレー末端部は、トレーを１ｍｍ変形させるために、動的衝撃試験で約０．５ｋｇ〜約１ｋｇの力を必要とする。そのような変形を試験するのに有用な機器には、米国マサチューセッツ州ノーウッド（Norwood）のインストロン・インダストリアル・プロダクツ社（Instron Industrial Products）によるインストロン引張試験機が挙げられる。
【００２９】
トレー１２は、プラスチック、生分解性材料、金属、ゴム、及びそれらの混合物など、任意の種類の材料で作製されてよい。好適なプラスチックには、限定するものではないが、ポリエチレン、ポリプロピレン、ポリブタジエン、ポリスチレン、ポリエチレンテレフタレート、ポリアミド、ポリエステル、ポリ塩化ビニル誘導体、それらのコポリマー、及びそれらの混合物を挙げることができる。好適な生分解性材料には、限定するものではないが、コーンスターチ、米スターチ、小麦スターチ、ポテトスターチ、セルロース、ポリラクチド、ポリカプロラクトン、ポリビニルアルコール、カゼイン、及びそれらの混合物を挙げることができる。生分解性材料が、特にコーンスターチがより好ましい。本明細書のある実施形態において、トレーはコーンスターチを含む。
【００３０】
本明細書のある実施形態において、トレー末端部２３は変形可能であり、したがって、さもなければ積重ね可能な成形スナックに伝達される衝撃を吸収するのに役立つ。
【００３１】
図３は、従来のトレー１１２の部分頂面図であり、トレー末端部１２３は、湾曲している本発明と比較して、平坦に形成されている。トレー末端部１２３が圧迫されるか、あるいは圧力又は衝撃を受けると、その圧力は直接、積重ね可能な成形チップスナック１１４に伝達され、それにより、積重ね可能な成形チップスナックが破砕する可能性が大いに高まることになる。
【００３２】
図４は、第２の側部２６から見た図２のトレーの側面図である。この実施形態において、トレー１２は、トレー１２の内部に収容されたチップスナック１４よりも高い高さを有してもよい。理論に束縛されることを望むものではないが、積重ね可能な成形チップスナック１４は外部の衝撃から更に保護され得ると考えられる。
【００３３】
トレー１２は複数のバンプ４２を備えている。バンプ４２は、トレー本体１８の内部から外向きに、あるいはトレー本体１８の外部から内向きに突出し、結果として、複数の凸面及び／又は凹面形状を生じてもよい。この実施形態において、バンプ４２は、トレー本体１８の内部から外向きに突出している。理論に束縛されることを望むものではないが、複数のバンプ４２はトレーの剛性を強化し得ると考えられる。つまり、薄い材料をトレーに使用してもバンプによって十分な剛性を達成することができ、トレーの軽量化につながる。このように強化されたトレーはまた、積重ね可能な成形チップスナックを外部の衝撃から保護することができる。このトレーは、積重ね可能な成形チップスナックの割れを防止するか、あるいは少なくとも低減することができる。バンプの形状は特に限定されなくてもよく、例として、円形、卵形、楕円形、四角形、三角形などが挙げられる。
【００３４】
バンプ４２は、第１の側壁２４及び第２の側壁２６と、底部３８とを含めて、トレー本体１８の全体に分布していてもよい。バンプ４２が広範に分布することにより、積重ね可能な成形チップスナックを割れから保護することができる。
【００３５】
トレー１２は、トレー本体１８内の底部３８を備える。トレー１２は通常、少なくとも１対の支持部材３６を設けられており、支持部材３６は、トレー本体１８の底部３８から外向きに突出している。理論に束縛されることを望むものではないが、トレー１２が管状容器（図１を参照）内又は平面（図４を参照）上に置かれたとき、この１対の支持部材３６がトレー１２に安定性をもたらすと考えられる。また、支持部材３６は、包装品２０が一定の高さから落下されるか、あるいは外力によって圧迫されたときに、積重ね可能な成形チップスナック１４を外部の衝撃から保護することができる。この実施形態において、トレー１２は、実質的に互いに平行に設置された３対の支持部材３６を備えている。
【００３６】
図５は、線４−４に沿って見た図３のトレーの横断面図である。底部３８の形状は、実質的に平面的であっても丸形であってもよい。この実施形態において、底部３８は丸形である。理論に束縛されることを望むものではないが、底部３８の丸形の形状は、トレー１２に収容された積重ね可能な成形チップスナック１４の形状を補完し得ると考えられる。これらの形状が互いに補完するため、また支持部材３６と縁部棚４３のみが管状の缶に触れるため、積重ね可能な成形チップスナックの割れが低減される。縁部棚４３は更にまた、衝撃及び力を伝達する代わりに更に変形することによって、積重ね可能な成形チップスナックへの力の伝達を低減するのに役立ち得る。
【００３７】
本発明の包装食品は、特定のタイプ又はカテゴリの食品に限定されるものではない。したがって、本発明の包装は、中の製品がいかなるものであっても実施され得る。例えば、本発明の製品は、成形ポテトチップス、成形米チップス、成形コーンチップスなどの砕けやすい食品からなる群から選択され得る。
【００３８】
留意されたいこととして、本発明は、包装の寸法又は大きさに対して制限を持たない。特定の実施形態において、管状容器は、約３ｃｍ〜約１５ｃｍ、約４ｃｍ〜約１２ｃｍ、又は約５ｃｍ〜約１０ｃｍの直径と、約６ｃｍ〜約５０ｃｍ、７ｃｍ〜約４５ｃｍ、又は約８ｃｍ〜約４０ｃｍの深さを有する。図１に示す実施形態において、成形ポテトチップスを収容するための管状容器は、５．３ｃｍの幅と４．７ｃｍの深さを有している。特定の実施形態において、トレーは、約３ｃｍ〜約１５ｃｍ、約４ｃｍ〜約１２ｃｍ、又は約５ｃｍ〜約１０ｃｍの幅と、約３ｃｍ〜約１５ｃｍ、約４ｃｍ〜約１２ｃｍ、又は約５ｃｍ〜約１０ｃｍの深さを有する。本発明のトレー及び管状容器は、任意の寸法又は大きさを有し得る。
【００３９】
この実施形態において、積重ね可能な成形チップスナックはスナック高さｈ1を有し、トレーはトレー高さｈ2を有している。ある実施形態において、トレー高さは、スナック高さの約５０％超、又はスナック高さの約６０％〜約１００％、又はスナック高さの約６５％〜約８５％である。理論に束縛されることを意図するものではないが、そのようなトレーを有することは、卵形又は丸形の形状を有する積重ね可能な成形チップスナックとの組合わせにおいて特に有用であると考えられる。そのような場合は特に、縁部棚４３は、積重ね可能な成形チップスナック１４の中点よりも高くなる。したがって、衝撃が発生すると、縁部棚はここでも、積重ね可能な成形チップスナックを直接、圧迫するのではなく変形することになり、そのため破砕が低減されることになる。
【００４０】
積重ね可能な成形チップスナックの形状は、互いに積重ね可能である限り、限定されなくてもよいが、積重ね可能な成形チップスナックは好ましくは、波形、凹面形、及び凸面形からなる群から選択された形状を有する。
【実施例】
【００４１】
落下試験
生分解性コーンスターチ材料を押出しすることによってトレーを製造した。トレーは０．５５ｍｍの厚さを有するものである。１００％傷のない成形ポテトチップス（プロクター・アンド・ギャンブル社（Procter & Gamble Company）によって製造されている商品名プリングルズ（Pringles）（登録商標）オリジナルミックス（Original Mix））をトレー（トレー１つ当たりチップ７４枚）の中に手動で詰め込み、トレー上のポテトチップスを各管状容器（容器寸法は直径６５ｍｍ、高さ２１０ｍｍ）に入れた。図５に示すように、１２個の管状容器を段ボール箱（３（列）×４（行）の箱）に包装した。この段ボール箱を落下試験にかけた。表１及び図６に示す指示に従って、落下試験の間に段ボール箱を７回、自由落下させた。図６において、１〜６の番号は、段ボール箱の各平面を示している。落下試験の後、成形ポテトチップスを管状容器から取り出した。成形ポテトチップスを、（ｉ）傷のないチップ（９０重量％未満）、（ｉｉ）破砕したチップ（５０重量％超、９０重量％未満）、及び（ｉｉｉ）小片（５０重量％未満）に慎重に分類した。その結果を表２に示す。その結果（トレー付き）を、トレーを用いずに管状容器に入れた成形ポテトチップスで実施した結果（トレーなし）と比較した。
【００４２】
【表１】
2013512156.tif 000003
【００４３】
【表２】
2013512156.tif 000004
【００４４】
結果として、本発明の包装品は、上に示す落下試験の後、トレーなしの包装品と比較して、傷のないチップを相当に多く呈した（６９％対４９％）。更に、本発明のトレーを用いても小片に破砕したチップの量（９％）は、トレーが存在しなかった場合（２８％）と比較して、相当に少ないものであった。
【００４５】
本明細書で開示した寸法及び値は、列挙した厳密な数値に厳格に限定されるものとして解釈されるべきではない。その代わりに、別段の指定がない限り、そのような各寸法は、列挙した値と、その値を包含する機能的に等価な範囲との双方を意味することを意図したものである。例えば、「４０ｍｍ」として開示した寸法は、「約４０ｍｍ」を意味することを意図したものである。
【００４６】
「発明を実施するための形態」で引用したすべての文書は、関連部分において参照によって本明細書に組み込まれるが、いずれの文書の引用も、それが本発明に対する先行技術であることを認めるものとして解釈されるべきではない。この文書における用語のいずれかの意味又は定義が、参照によって組み込まれる文書における用語のいずれかの意味又は定義と対立する限りにおいて、本文書においてその用語に与えられた意味又は定義を優先するものとする。
【００４７】
本発明の特定の実施形態について図示し説明したが、種々の他の変更及び修正が、本発明の趣旨及び範囲から逸脱することなくなされ得ることが、当業者には明らかとなろう。したがって、本発明の範囲に含まれるそのようなすべての変更及び修正は、添付の「特許請求の範囲」で網羅することとする。
【図１】
2013512156.tif 000005
【図２】
2013512156.tif 000006
【図３】
2013512156.tif 000007
【図４】
2013512156.tif 000008
【図５】
2013512156.tif 000009
【図６】
2013512156.tif 000010
【図７】
2013512156.tif 000011
【国際調査報告】
2013512156.tif 000012
2013512156.tif 000013
2013512156.tif 000014